(57)【特許請求の範囲】
【請求項１】
被写体を撮影して被写体画像を示す画像データを出力する撮影手段と、
前記撮影手段から出力された画像データを記憶する記憶手段と、
光を発するタリーランプと、
前記タリーランプの光の点滅によって指向性を有する指向性無線通信としてのデータの送信を行い、前記撮影手段の撮影によって指向性無線通信としてのデータの受信を行う指向性無線通信手段と、
前記指向性無線通信より速い通信速度で、指向性を有しない無指向性無線通信を行う無指向性無線通信手段と、
通信相手と前記無指向性無線通信を確立するための通信確立情報を前記指向性無線通信によって送信するように前記指向性無線通信手段を制御すると共に、前記通信相手と前記無指向性無線通信が確立されたとき、前記記憶手段に記憶された画像データを前記通信相手に前記無指向性無線通信によって送信するように前記無指向性無線通信手段を制御する制御手段と、
を含む撮影装置。
【請求項２】
前記制御手段は、認証情報を前記指向性無線通信によって送信するように前記指向性無線通信手段を制御すると共に、前記通信相手によって認証されたとき、前記通信相手と前記無指向性無線通信を行うように前記無指向性無線通信手段を制御する請求項１記載の撮影装置。
【請求項３】
前記制御手段は、復号化鍵を前記指向性無線通信によって送信するように前記指向性無線通信手段を制御すると共に、前記通信相手に前記指向性無線通信によって前記復号化鍵が送信されたとき、前記復号化鍵に対応する暗号化鍵によって暗号化された前記画像データを前記通信相手に前記無指向性無線通信によって送信するように前記無指向性無線通信手段を制御する請求項１又は請求項２記載の撮影装置。
【請求項４】
前記画像データを送信するときに、前記画像データの容量に基づいて、前記無指向性無線通信及び前記指向性通信の何れの方が前記画像データを送信するための通信時間が短いかを判断する判断手段を更に含み、
前記制御手段は、前記判断手段によって前記指向性無線通信の方が前記通信時間が短いと判断された場合、前記通信相手に前記指向性無線通信によって前記画像データを送信するように前記指向性無線通信手段を制御し、
前記判断手段によって前記無指向性無線通信の方が通信時間が短いと判断された場合、前記通信相手と前記無指向性無線通信を確立するための通信確立情報を前記指向性無線通信によって送信するように前記指向性無線通信手段を制御すると共に、前記通信相手と前記指向性無線通信が確立されたとき、前記通信相手に前記無指向性無線通信によって前記画像データを送信するように前記無指向性無線通信手段を制御する請求項１〜請求項３の何れか１項記載の撮影装置。
【請求項５】
前記画像データを送信するときに、前記無指向性無線通信及び前記指向性無線通信の何れか一方を選択するための選択手段を更に含み、
前記制御手段は、前記選択手段によって前記指向性無線通信が選択された場合、前記通信相手に前記指向性無線通信によって前記画像データを送信するように前記指向性無線通信手段を制御し、
前記選択手段によって前記無指向性無線通信が選択された場合、前記通信相手と前記無指向性無線通信を確立するための通信確立情報を前記指向性無線通信によって送信するように前記指向性無線通信手段を制御すると共に、前記通信相手と前記無指向性無線通信が確立されたとき、前記通信相手に前記無指向性無線通信によって前記画像データを送信するように前記無指向性無線通信手段を制御する請求項１〜請求項３の何れか１項記載の撮影装置。
【請求項６】
被写体を撮影して被写体画像を示す画像データを出力する第１撮影手段、
前記第１撮影手段から出力された画像データを記憶する第１記憶手段、
光を発する第１タリーランプ、
前記第１タリーランプの光の点滅によって指向性を有する指向性無線通信としてのデータの送信を行い、前記第１撮影手段の撮影によって指向性無線通信としてのデータの受信を行う第１指向性無線通信手段、
前記第１指向性無線通信より速い通信速度で、指向性を有しない無指向性無線通信を行う第１無指向性無線通信手段、及び
通信相手と前記第１無指向性無線通信を確立するための通信確立情報を前記指向性無線通信によって送信するように前記第１指向性無線通信手段を制御すると共に、前記通信相手と前記無指向性無線通信が確立されたとき、前記第１記憶手段に記憶された画像データを前記通信相手に前記無指向性無線通信によって送信するように前記第１無指向性無線通信手段を制御する第１制御手段
を含む第１撮影装置と、
被写体を撮影して被写体画像を示す画像データを出力する第２撮影手段、
前記撮影手段から出力された画像データを記憶する第２記憶手段、
光を発する第２タリーランプ、
前記第１撮影手段に対して、前記第２タリーランプの光の点滅によって指向性を有する指向性無線通信としてのデータの送信を行い、前記第１タリーランプに対する前記第２撮影手段の撮影によって指向性無線通信としてのデータの受信を行う第２指向性無線通信手段、
前記指向性無線通信より速い通信速度で、指向性を有しない無指向性無線通信を行う第２無指向性無線通信手段、及び
前記第１撮影装置と前記無指向性無線通信を確立するための通信確立情報を前記指向性無線通信によって送信するように前記第２指向性無線通信手段を制御すると共に、前記第１撮影装置と前記無指向性無線通信が確立されたとき、前記第２記憶手段に記憶された画像データを前記第１撮影装置に前記無指向性無線通信によって送信するように前記第２無指向性無線通信手段を制御する第２制御手段
を含む第２撮影装置と、
を含む撮影システム。
【発明の詳細な説明】
【技術分野】
【０００１】
本発明は、撮影装置及び撮影システムに係り、特に、記憶されているデータを無線送信する撮影装置及び撮影システムに関する。
【背景技術】
【０００２】
従来、ＩＲＤＡ（Ｉｎｆｒａ  Ｒｅｄ  Ｄａｔａ  Ａｓｓｏｃｉａｔｉｏｎ）通信などの指向性を有する無線通信が、家庭内リモコンや携帯電話間のデータ通信などで広く用いられている。これは、ＩＲＤＡ通信などの指向性を有する無線通信が、他の通信方式に比べ、簡易な使用方法であり、かつ、低コストな構成で実現できるためである。
【０００３】
この指向性を有する無線通信は一般的に通信速度が遅いため、速い通信速度が要求される場合には、無線ＬＡＮや、ワイヤレスＵＳＢ、ブルートゥースなどの無指向性の無線通信の方が適している。
【０００４】
しかし、無指向性の無線通信では、無線通信装置の通信エリア内にある不特定の通信装置が、誤ってデータを受信してしまう。
【０００５】
この誤ってデータを受信することを防止するために、受信者は、画像データの受信前に受信した認証データを確認して、画像データの受信の許可又は不許可を指示するデジタルカメラが知られている（特許文献１）。
【０００６】
また、認証コードを他の通信機器から無線で受信し、受信した認証コードに基づいて画像の再生を制限する電子カメラが知られている（特許文献２）。
【０００７】
また、受信したデータの適否を判定し、不適切と判定された場合はデータを破棄する無線通信器が知られている（特許文献３）。
【特許文献１】特開平１１−３１３２３７号公報
【特許文献２】特開２００２−１４２１８１号公報
【特許文献３】特開２００５−４７２５２号公報
【発明の開示】
【発明が解決しようとする課題】
【０００８】
しかしながら、上記の特許文献１に記載のデジタルカメラでは、ユーザが画像データの受信の許可又は不許可を指示する必要があるため、ユーザの操作負担がかかってしまう、という問題がある。また、特許文献２及び特許文献３に記載された技術では、誤った通信装置が、一旦データを受信してしまうため、機密性の面で問題がある。
【０００９】
本発明は上記問題点を解決するためになされたものであり、機密性を保持して無指向性無線通信を行うことができ、かつ、無指向性無線通信する際のユーザの操作負担を軽減して利便性を向上させることができる撮影装置及び撮影システムを提供することを目的とする。
【課題を解決するための手段】
【００１０】
上記目的を達成するために、第１の発明に係る撮影装置は、被写体を撮影して被写体画像を示す画像データを出力する撮影手段と、前記撮影手段から出力された画像データを記憶する記憶手段と、光を発するタリーランプと、前記タリーランプの光の点滅によって指向性を有する指向性無線通信としてのデータの送信を行い、前記撮影手段の撮影によって指向性無線通信としてのデータの受信を行う指向性無線通信手段と、前記指向性無線通信より速い通信速度で、指向性を有しない無指向性無線通信を行う無指向性無線通信手段と、通信相手と前記無指向性無線通信を確立するための通信確立情報を前記指向性無線通信によって送信するように前記指向性無線通信手段を制御すると共に、前記通信相手と前記無指向性無線通信が確立されたとき、前記記憶手段に記憶された画像データを前記通信相手に前記無指向性無線通信によって送信するように前記無指向性無線通信手段を制御する制御手段と、
を含んで構成されている。
【００１１】
第１の発明に係る通信装置によれば、制御手段によって、通信相手と無指向性無線通信を確立するための通信確立情報を指向性無線通信によって送信するように指向性無線通信手段を制御する。そして、通信相手と無指向性無線通信が確立されたとき、制御手段によって、記憶手段に記憶された画像データを通信相手に無指向性無線通信によって送信するように無指向性無線通信手段を制御する。
【００１２】
従って、無指向性無線通信が確立されたとき、無指向性無線通信を行うことにより、機密性を保持して無指向性無線通信を行うことができ、また、指向性無線通信によって無指向性無線通信を確立することにより、無指向性無線通信する際のユーザの操作負担を軽減して利便性を向上させることができる。
【００１３】
第１の発明に係る制御手段は、認証情報を指向性無線通信によって送信するように指向性無線通信手段を制御すると共に、通信相手によって認証されたとき、通信相手と無指向性無線通信を行うように無指向性無線通信手段を制御することができる。これにより、認証されたときに無指向性無線通信を行うため、無指向性無線通信において、更に機密性を高めることができる。
【００１４】
また、第１の発明に係る制御手段は、復号化鍵を指向性無線通信によって送信するように指向性無線通信手段を制御すると共に、通信相手に指向性無線通信によって復号化鍵が送信されたとき、復号化鍵に対応する暗号化鍵によって暗号化された画像データを通信相手に無指向性無線通信によって送信するように無指向性無線通信手段を制御することができる。これにより、指向性無線通信によって復号化鍵を送信することにより、安全に復号化鍵を送信することができ、また、暗号化された画像データを無指向性無線通信によって送信するため、無指向性無線通信において、更に機密性を高めることができる。
【００１５】
また、画像データのようなデータ容量が大きいデータを通信速度が速い無指向性無線通信によって送信することができ、かつ、無指向性無線通信において機密性を保持することができる。
【００１６】
また、上記の撮影装置は、光を発するタリーランプを更に含み、指向性無線通信手段は、タリーランプの光の点滅によってデータの送信を行い、撮影手段の撮影によってデータの受信を行う。これにより、既存の構成を用いて指向性無線通信できるため、装置の構成を低コストにすることができる。
【００１８】
また、第１の発明に係る撮影装置は、データを送信するときに、データの容量に基づいて、無指向性無線通信及び指向性通信の何れの方が画像データを送信するための通信時間が短いかを判断する判断手段を更に含み、制御手段は、判断手段によって指向性無線通信の方が通信時間が短いと判断された場合、通信相手に指向性無線通信によって画像データを送信するように指向性無線通信手段を制御することができる。また、制御手段は、判断手段によって無指向性無線通信の方が通信時間が短いと判断された場合、通信相手と無指向性無線通信を確立するための通信確立情報を指向性無線通信によって送信するように指向性無線通信手段を制御すると共に、通信相手と指向性無線通信が確立されたとき、通信相手に無指向性無線通信によって画像データを送信するように無指向性無線通信手段を制御することができる。これにより、送信するデータの容量に応じて、指向性無線通信及び無指向性無線通信の何れか適切な方を用いてデータ送信するため、更に利便性を向上させることができる。
【００１９】
また、第１の発明に係る撮影装置は、画像データを送信するときに、無指向性無線通信及び指向性無線通信の何れか一方を選択するための選択手段を更に含み、制御手段は、選択手段によって指向性無線通信が選択された場合、通信相手に指向性無線通信によってデータを送信するように指向性無線通信手段を制御することができる。また、制御手段は、選択手段によって無指向性無線通信が選択された場合、通信相手と無指向性無線通信を確立するための通信確立情報を指向性無線通信によって送信するように指向性無線通信手段を制御すると共に、通信相手と無指向性無線通信が確立されたとき、通信相手に無指向性無線通信によって画像データを送信するように無指向性無線通信手段を制御することができる。これにより、ユーザの選択によって、指向性無線通信及び無指向性無線通信の何れか一方を用いてデータ送信するため、更に利便性を向上させることができる。
【００２０】
第２の発明に係る撮影システムは、被写体を撮影して被写体画像を示す画像データを出力する第１撮影手段、前記第１撮影手段から出力された画像データを記憶する第１記憶手段、光を発する第１タリーランプ、前記第１タリーランプの光の点滅によって指向性を有する指向性無線通信としてのデータの送信を行い、前記第１撮影手段の撮影によって指向性無線通信としてのデータの受信を行う第１指向性無線通信手段、前記第１指向性無線通信より速い通信速度で、指向性を有しない無指向性無線通信を行う第１無指向性無線通信手段、及び通信相手と前記第１無指向性無線通信を確立するための通信確立情報を前記指向性無線通信によって送信するように前記第１指向性無線通信手段を制御すると共に、前記通信相手と前記無指向性無線通信が確立されたとき、前記第１記憶手段に記憶された画像データを前記通信相手に前記無指向性無線通信によって送信するように前記第１無指向性無線通信手段を制御する第１制御手段を含む第１撮影装置と、被写体を撮影して被写体画像を示す画像データを出力する第２撮影手段、前記撮影手段から出力された画像データを記憶する第２記憶手段、光を発する第２タリーランプ、前記第１撮影手段に対して、前記第２タリーランプの光の点滅によって指向性を有する指向性無線通信としてのデータの送信を行い、前記第１タリーランプに対する前記第２撮影手段の撮影によって指向性無線通信としてのデータの受信を行う第２指向性無線通信手段、前記指向性無線通信より速い通信速度で、指向性を有しない無指向性無線通信を行う第２無指向性無線通信手段、及び前記第１撮影装置と前記無指向性無線通信を確立するための通信確立情報を前記指向性無線通信によって送信するように前記第２指向性無線通信手段を制御すると共に、前記第１撮影装置と前記無指向性無線通信が確立されたとき、前記第２記憶手段に記憶された画像データを前記第１撮影装置に前記無指向性無線通信によって送信するように前記第２無指向性無線通信手段を制御する第２制御手段を含む第２撮影装置と、を含んで構成されている。
【発明の効果】
【００２３】
本発明に係る撮影装置によれば、無指向性無線通信が確立されたとき、無指向性無線通信を行うことにより、機密性を保持して無指向性無線通信を行うことができ、また、指向性無線通信によって無指向性無線通信を確立することにより、無指向性無線通信する際のユーザの操作負担を軽減して利便性を向上させることができる、という効果が得られる。
【発明を実施するための最良の形態】
【００２４】
以下、本発明の実施の形態について詳細に説明する。なお、デジタルカメラに本発明を適用した場合について説明する。
【００２５】
図１に示すように、第１の実施の形態に係るデジタルカメラ１０の正面には、タリーランプ、補助光ランプ、及びＩＲＤＡ通信部からなる光モジュール部１２と、無線信号を送受信するための無線アンテナ１４と、被写体像を結像させるためのレンズ２１と、撮影時に必要に応じて被写体に照射する光を発するストロボ４４と、撮影する被写体の構図を決定する場合等に用いられるファインダ２０とが設けられている。
【００２６】
また、図２に示すように、デジタルカメラ１０には、レンズを含んで構成された光学ユニット２３と、レンズの光軸後方に配設された電荷結合素子（以下、「ＣＣＤ」という。）２５と、入力されたアナログ信号に対して各種のアナログ信号処理を行なうアナログ信号処理部２６とが設けられている。
【００２７】
また、デジタルカメラ１０には、入力されたアナログ信号をデジタルデータに変換するアナログ／デジタル変換器（以下、「ＡＤＣ」という。）２８が設けられており、このデジタルデータが後述するメインＭＰＵ４０に出力され、このデジタルデータに対して各種のデジタル信号処理が行われる。
【００２８】
ＣＣＤ２５の出力端はアナログ信号処理部２６の入力端に、アナログ信号処理部２６の出力端はＡＤＣ２８の入力端に、各々接続されている。従って、ＣＣＤ２５から出力された被写体像を示すアナログ信号はアナログ信号処理部２６によって所定のアナログ信号処理が施され、ＡＤＣ２８によってデジタル画像データに変換された後にメインＭＰＵ４０に入力される。
【００２９】
また、デジタルカメラ１０には、デジタルカメラ１０全体の動作を制御するメインＭＰＵ４０と、撮影により得られた画像データ等を一時的に記憶するＳＤＲＡＭ（Ｓｙｎｃｈｒｏｎｏｕｓ  ＤＲＡＭ）で構成されるメモリ４８と、メモリ４８に対するアクセスの制御を行なうメモリインタフェース４６とが設けられている。
【００３０】
更に、デジタルカメラ１０には、例えば、可搬型のスマートメディア（Ｓｍａｒｔ  Ｍｅｄｉａ（登録商標））で構成されるメモリカード５２をデジタルカメラ１０でアクセス可能とするための外部メモリインタフェース５０と、デジタル画像データに対する圧縮処理及び伸張処理を行なう圧縮・伸張処理回路５４とが設けられている。
【００３１】
一方、デジタルカメラ１０は、主としてＣＣＤ２５を駆動させるためのタイミング信号を生成してＣＣＤ２５に供給するタイミングジェネレータ３２を備えており、ＣＣＤ２５の駆動はメインＭＰＵ４０によりタイミングジェネレータ３２を介して制御される。
【００３２】
更に、デジタルカメラにはモータ駆動部３４が設けられており、光学ユニット２３に備えられた図示しない焦点調整モータ、ズームモータ及び絞り駆動モータの駆動もメインＭＰＵ４０によりモータ駆動部３４を介して制御される。
【００３３】
更に、レリーズスイッチ、電源スイッチ、モード切替スイッチ、十字カーソルスイッチ、ズームスイッチ、メニュースイッチ等の各種スイッチ（図２では、「操作部５６」と総称。）はメインＭＰＵ４０に接続されており、メインＭＰＵ４０は、操作部５６に対する操作状態を常時把握できる。
【００３４】
また、デジタルカメラ１０には、ストロボ４４とメインＭＰＵ４０との間に介在されると共に、メインＭＰＵ４０の制御によりストロボ４４を発光させるための電力を充電する充電部４２が設けられている。更に、ストロボ４４はメインＭＰＵ４０にも接続されており、ストロボ４４の発光はメインＭＰＵ４０によって制御される。
【００３５】
また、デジタルカメラ１０は、デジタル画像データにより示される被写体像やメニュー画面等をＬＣＤ３８に表示させるための画像信号を生成してＬＣＤ３８に供給するＬＣＤインタフェース３６を備えている。
【００３６】
その他、ＬＣＤインタフェース３６では、画像データにより示される被写体像の画素配列に変換する画素配列変換処理、当該被写体像の画素数をＬＣＤ３８の画素数に変換する画素数変換処理、当該被写体像に対するＬＣＤ３８の特性等に応じたガンマ処理やシャープネス処理等の各種処理を実行するが、以上のようなＬＣＤインタフェース３６の動作は従来既知であるので、これ以上の説明は省略する。
【００３７】
また、デジタルカメラ１０には、例えば、無線ＬＡＮや、ワイヤレスＵＳＢ、ブルートゥースなどの指向性を有しない無線通信である無指向性無線通信を行うための無線通信部６０、及び無線通信部６０の制御を行う無線コントロール部６２が設けられている。
【００３８】
また、光モジュール部１２は、赤外線信号を送受信して指向性を有するＩＲＤＡ通信を行うためのＩＲＤＡ通信部６４、タリーランプを発光させるタリー発光部６６、及び補助光発光部６８から構成されており、また、デジタルカメラ１０には、ＩＲＤＡ通信部６４の制御を行うＩＲＤＡコントロール部７０、タリー発光部６６を制御するタリーコントロール部７２、及び補助光発光部６８を制御する補助光コントロール部７４が設けられている。なお、無線通信部６０の無指向性無線通信の通信速度は、ＩＲＤＡ通信部６４のＩＲＤＡ通信の通信速度より速くなっている。
【００３９】
ＡＤＣ２８、ＬＣＤインタフェース３６、メインＭＰＵ４０、メモリインタフェース４６、外部メモリインタフェース５０、圧縮・伸張処理回路５４、無線コントロール部６２、ＩＲＤＡコントロール部７０、タリーコントロール部７２、及び補助光コントロール部７４はシステムバスＢＵＳを介して相互に接続されている。メインＭＰＵ４０は、ＬＣＤインタフェース３６、圧縮・伸張処理回路５４、無線コントロール部６２、ＩＲＤＡコントロール部７０、タリーコントロール部７２、及び補助光コントロール部７４の作動の制御、並びにメモリ４８及びメモリカード５２へのメモリインタフェース４６ないし外部メモリインタフェース５０を介したアクセスを行なう。
【００４０】
次に、第１の実施の形態に係るデジタルカメラ１０の動作について説明する。ここでは、上述したデジタルカメラ１０と同一構成のデジタルカメラ１０Ａ、１０Ｂについて、まず、デジタルカメラ１０Ａによって被写体が撮像されて、画像データがメモリカード５２に記憶された後に、画像データがデジタルカメラ１０Ａから他のデジタルカメラ１０Ｂへ無線送信される場合について説明する。
【００４１】
まず、ユーザがデジタルカメラ１０ＡのＩＲＤＡ通信部６４の指向性の方向（例えば、デジタルカメラ１０Ａの正面方向）とデジタルカメラ１０ＢのＩＲＤＡ通信部６４の指向性の方向とを向かい合わせ、ステップ１００において、デジタルカメラ１０ＡのＩＲＤＡ通信部６４から通信開始メッセージをＩＲＤＡ通信によってデジタルカメラ１０ＢのＩＲＤＡ通信部６４に送信し、デジタルカメラ１０ＢのＩＲＤＡ通信部６４から応答メッセージがＩＲＤＡ通信によって送信され、デジタルカメラ１０ＡのＩＲＤＡ通信部６４によって受信されると、ステップ１０２において、デジタルカメラ１０Ａの無線通信部６０の設定を行うと共に、無線通信部６０の既存設定データをメモリ４８にバックアップする。
【００４２】
そして、ステップ１０４において、デジタルカメラ１０ＡのＩＲＤＡ通信部６４から、デジタルカメラ１０Ｂと無指向性無線通信を確立するための通信確立情報及び自己の認証を行うための認証データをＩＲＤＡ通信によって送信する。なお、通信確立情報には、無指向性無線通信に関する設定情報も含まれている。
【００４３】
次のステップ１０５では、デジタルカメラ１０ＢのＩＲＤＡ通信部６４によって通信確立情報及び認証データを受信し、受信した認証データに基づいて、デジタルカメラ１０Ａに対する認証処理を行い、認証されなかった場合には、通信処理を終了する。
【００４４】
デジタルカメラ１０Ａが認証されると、ステップ１０６で、デジタルカメラ１０Ｂにおいて、受信した通信確立情報に含まれる設定情報に基づいて、デジタルカメラ１０Ｂの無線通信部６０の設定を行うと共に、無線通信部６０の既存設定データをバックアップし、ＩＲＤＡ通信部６４からＩＲＤＡ通信によって、認証されたこと及び無指向性無線通信が確立されたことを示す応答メッセージを送信する。
【００４５】
次のステップ１０８では、デジタルカメラ１０Ａ、１０ＢのＩＲＤＡ通信部６４間でＩＲＤＡ通信によって互いの復号化キーの受け渡しを行い、ステップ１１０において、デジタルカメラ１０Ａ、１０ＢのＩＲＤＡ通信部６４間でＩＲＤＡ通信終了メッセージをＩＲＤＡ通信によって送受信して、ＩＲＤＡ通信終了処理を行う。
【００４６】
そして、ステップ１１２において、デジタルカメラ１０Ａ、１０Ｂの無線通信部６０間で、無指向性無線通信によってデータ通信を行う。このとき、デジタルカメラ１０Ａのメモリカード５２に記憶されている画像データを読み出して、デジタルカメラ１０Ａの暗号化キーによって画像データを暗号化して、デジタルカメラ１０Ｂに暗号化された画像データを無指向性無線通信によって送信する。デジタルカメラ１０Ｂでは、無指向性無線通信によって暗号化された画像データを受信して、上記のステップ１０８においてデジタルカメラ１０Ａから受け渡された復号化キーによって、暗号化された画像データを復号化して、画像データを取得する。
【００４７】
次のステップ１１４において、画像データの送信が終了し、無指向性無線通信による通信処理が終了すると、ステップ１１６において、デジタルカメラ１０Ａの無線通信部６０から無線通信終了メッセージを無指向性無線通信によって送信し、デジタルカメラ１０Ｂでは、無線通信終了メッセージを受信すると、応答メッセージを無指向性無線通信によって送信する。
【００４８】
そして、ステップ１１８において、デジタルカメラ１０Ａ、１０Ｂでバックアップした既存設定データに基づいて無線通信部６０の再設定を行う。
【００４９】
以上説明したように、第１の実施の形態に係るデジタルカメラによれば、無指向性無線通信が確立されたとき、無指向性無線通信を行うことにより、機密性を保持して無指向性無線通信を行うことができ、また、ＩＲＤＡ通信によって無指向性無線通信を確立することにより、無指向性無線通信する際に、ユーザは煩雑な設定をする必要がなく、ユーザの操作負担が軽減されるため、利便性を向上させることができる。
【００５０】
また、認証データをＩＲＤＡ通信によって送信し、認証されたとき、無指向性無線通信を行うことにより、無指向性無線通信において、更に機密性を高めることができる。
【００５１】
また、認証され、かつ、無指向性無線通信が確立したときに、無指向性無線通信を行うため、通信先ではない他の装置と通信を行わないため、他の装置に影響を与えないようにすることができる。
【００５２】
また、ＩＲＤＡ通信によって復号化キーを送信することにより、安全に復号化キーを送信することができ、また、暗号化された画像データを無指向性無線通信によって送信するため、無指向性無線通信において、更に機密性を高めることができる。
【００５３】
また、画像データのようなデータ容量が大きいデータを通信速度が速い無指向性無線通信によって送信することができる。
【００５４】
また、ＩＲＤＡ通信を用いることにより、簡易に指向性を有する無線通信を行うことができ、かつ、装置の構成を低コストにすることができる。
【００５５】
また、タリーランプや補助光発光部を含む光モジュール部にＩＲＤＡ通信部を含めることにより、タリーランプによってＩＲＤＡ通信の指向性の方向を容易に確認でき、また、ＩＲＤＡ通信部が設けられていることをユーザに強く意識させずにＩＲＤＡ通信を行うことができる。
【００５６】
なお、上記の実施の形態では、復号化キーを送受信する場合を例に説明したが、復号化キーと暗号化キーとが同一である場合には、暗号化キーを送信するようにしてもよい。また、復号化キーと暗号化キーと同一でない場合でも、暗号化キーを送受信し、送信した暗号化キーで暗号化された画像データを受信した受信側で、送信した暗号化キーに対応する復号化キーで画像データ復号化し、画像データを取得するようにしてもよい。
【００５７】
次に、第２の実施の形態について説明する。なお、第１の実施の形態と同様の部分については、同一符号を付して説明を省略する。
【００５８】
第２の実施の形態では、画像データの送信を所定の条件に基づいて、ＩＲＤＡ通信部６４及び無線通信部６０の何れか一方を選択して行う点が第１の実施の形態と異なっている。
【００５９】
なお、デジタルカメラの構成は、第１の実施の形態に係るデジタルカメラ１０と同様の構成であるため、同一符号を付して説明を省略する。
【００６０】
次に、第２の実施の形態におけるデータ通信の動作について説明する。ここでは、デジタルカメラ１０Ａからデジタルカメラ１０Ｂへ画像データを送信する場合について説明する。
【００６１】
ユーザによってデジタルカメラ１０Ａのメモリカード５２に記憶されている画像データが送信対象として選択され、選択された画像データの送信が指示されると、デジタルカメラ１０ＡのメインＭＰＵ４０において、図４に示す無線通信選択処理ルーチンが実行される。まず、ステップ２００において、送信対象となる画像データのデータサイズを算出し、ステップ２０２において、算出されたデータサイズに基づいて、ＩＲＤＡ通信部６４によるＩＲＤＡ通信によってデータ送信した場合の通信時間Ｔ０及び無線通信部６０による無指向性無線通信によってデータ送信した場合の通信時間Ｔ１を算出する。データサイズ（例えば、１００ＫＢ）と予め定められたＩＲＤＡ通信部６４によるデータ通信の通信速度（例えば、１ｋｂｐｓ）とに基づいて、通信時間Ｔ０（この場合、１００秒）を算出し、同様に、データサイズと予め定められた無線通信部６０によるデータ通信の通信速度（例えば、１００ｋｂｐｓ）とに基づいて、通信時間Ｔ１（この場合、１秒）を算出する。
【００６２】
そして、ステップ２０４において、上記のステップ１００と同様の処理を行い、ＩＲＤＡ通信部６４によってＩＲＤＡ通信を行い、通信を開始する。
【００６３】
次のステップ２０６では、通信時間Ｔ１と予め定められた無線通信確立時間との和が通信時間Ｔ０より大きいか否かを判定する。ここで、無線通信確立時間は、上記のステップ１０２〜ステップ１０８の処理にかかる時間であり、予め実験等により求めておく。
【００６４】
通信時間Ｔ０の方が長い場合には、ステップ２０８において、上記のステップ１０２〜ステップ１１０の処理を実行し、無指向性無線通信を確立し、ステップ２１０において、上記のステップ１１２〜ステップ１１８の処理を実行して、無線通信部６０による無指向性無線通信によって画像データを送信し、無線通信選択処理ルーチンを終了する。
【００６５】
一方、ステップ２０６において、通信時間Ｔ０が通信時間Ｔ１と無線通信確立時間との和以下であると判定されると、ステップ２１２において、送信対象の画像データをメモリカード５２から読み出し、ＩＲＤＡ通信部６４から、読み出された画像データをＩＲＤＡ通信によってデジタルカメラ１０ＢのＩＲＤＡ通信部６４に送信し、無線通信選択処理ルーチンを終了する。
【００６６】
以上説明したように、第２の実施の形態に係るデジタルカメラによれば、送信する画像データのサイズに応じて、ＩＲＤＡ通信及び無指向性無線通信の何れか通信時間が短い方を用いて、画像データを送信するため、効率よく送信することができ、更に利便性を向上させることができる。
【００６７】
次に、第３の実施の形態について説明する。なお、第１の実施の形態及び第２の実施の形態と同様の部分については、同一符号を付して説明を省略する。
【００６８】
第３の実施の形態では、画像データの送信がＩＲＤＡ通信部６４及び無線通信部６０の何れか一方によって行われるかをユーザの選択指示によって決定される点が第２の実施の形態と異なっている。
【００６９】
なお、デジタルカメラの構成は、第１の実施の形態に係るデジタルカメラ１０と同様の構成であるため、同一符号を付して説明を省略する。
【００７０】
次に、第３の実施の形態におけるデータ通信の動作について説明する。ここでは、デジタルカメラ１０Ａからデジタルカメラ１０Ｂへ画像データを送信する場合について説明する。
【００７１】
デジタルカメラ１０Ａにおいて所定の画像データの送信がユーザによって指示されると、デジタルカメラ１０ＡのメインＭＰＵ４０において、図５に示す選択通信処理ルーチンが実行される。まず、ステップ３００において、画像データの送信をＩＲＤＡ通信及び無指向性無線通信の何れか一方によって行うかを選択させるための選択要求メッセージをＬＣＤ３８に表示させ、ステップ３０２において、無線通信方法が選択されたか否かを判定する。ユーザがデジタルカメラ１０Ａの操作部５６を操作することによって、無線通信方法が選択されると、ステップ３０４において、ＩＲＤＡ通信が選択されたか否かを判定し、ＩＲＤＡ通信がユーザの操作によって選択された場合には、ステップ２０４において、ＩＲＤＡ通信部６４によるＩＲＤＡ通信を開始し、上記のステップ１００と同様の処理を行い、ステップ２１２において、ＩＲＤＡ通信部６４から画像データをＩＲＤＡ通信によってデジタルカメラ１０ＢのＩＲＤＡ通信部６４に送信し、選択通信処理ルーチンを終了する。
【００７２】
一方、ステップ３０４において、無指向性無線通信が選択された場合には、ステップ３１０において、第１の実施の形態で説明した図３に示す処理と同様に、ＩＲＤＡ通信部６４によるＩＲＤＡ通信を行った後、無線通信部６０による無指向性無線通信によって画像データを送信し、選択通信処理ルーチンを終了する。
【００７３】
以上説明したように、第３の実施の形態に係るデジタルカメラによれば、ＩＲＤＡ通信及び無指向性無線通信の何れか一方を用いて画像データの送信を行うかを、ユーザの選択によって決めることができるため、更に利便性を向上させることができる。
【００７４】
なお、上記の実施の形態では、画像データの送信を指示する度に、ユーザが無線通信方法を選択する場合を例に説明したが、前もってユーザが無線通信方法を選択して、この選択を固定的に設定しておくようにしてもよい。これにより、ムービー等のリアルタイムのデータ送信の無線通信方法を無指向性無線通信に固定することができる。
【００７５】
次に、第４の実施の形態について説明する。なお、第１の実施の形態と同様の部分については、同一符号を付して説明を省略する。
【００７６】
図６に示すように、第４の実施の形態に係るデジタルカメラ４１０では、ＩＲＤＡ通信部及びＩＲＤＡコントロール部が設けられておらず、タリー発光部６６のタリーランプとＣＣＤ２５とによって指向性を有する無線通信を行う点が第１の実施の形態と異なっている。
【００７７】
光モジュール部４１２は、タリー発光部６６及び補助光発光部６８から構成されている。
【００７８】
なお、デジタルカメラ４１０のその他の構成は、第１の実施の形態に係るデジタルカメラと同様の構成であるため、同一符号を付して説明を省略する。
【００７９】
次に、第４の実施の形態に係るデジタルカメラ４１０の動作について説明する。ここでは、上述したデジタルカメラ４１０と同一構成のデジタルカメラ４１０Ａ、４１０Ｂについて、デジタルカメラ４１０Ａから他のデジタルカメラ４１０Ｂへ指向性を有する無線送信を行う場合について説明する。
【００８０】
まず、ユーザがデジタルカメラ４１０Ａのタリー発光部６６のタリーランプの光の指向性の方向（例えば、デジタルカメラ１０Ａの正面方向）にデジタルカメラ４１０Ｂのレンズ２１を配置し、かつ、デジタルカメラ４１０Ｂのタリー発光部６６の光の指向性の方向にデジタルカメラ４１０Ｂのレンズ２１を配置する。
【００８１】
そして、デジタルカメラ１０Ａのタリー発光部６６のタリーランプの点滅によって、送信すべき情報をデジタルカメラ４１０ＢのＣＣＤ２５に送信し、デジタルカメラ４１０Ｂでは、ＣＣＤ２５から出力されたアナログ信号がアナログ信号処理部２６によって所定のアナログ信号処理を施され、ＡＤＣ２８によってデジタル画像データに変換された後にメインＭＰＵ４０に入力される。そして、メインＭＰＵ４０において、入力された一連のデジタル画像データに基づいて、受信した情報を取得する。
【００８２】
デジタルカメラ１０Ａからデジタルカメラ１０Ｂへ画像データの送信を行う場合には、上記のように、タリー発光部６６及びＣＣＤ２５を用いた指向性を有する無線通信によって、第１の実施の形態のように、無指向性無線通信を確立するための通信確立情報を送信したり、復号化キーの受け渡しを行って、無指向性無線通信を確立する。そして、上記のステップ１１２〜ステップ１１８の処理を行う。
【００８３】
以上説明したように、第４の実施の形態に係るデジタルカメラによれば、既存のデジタルカメラに設けられているタリーランプ及びＣＣＤを用いて、指向性を有する無線通信を実現するため、装置の構成を低コストにすることができる。
【００８４】
次に、第５の実施の形態について説明する。なお、第１の実施の形態及び第４の実施の形態と同様の部分については、同一符号を付して説明を省略する。
【００８５】
第５の実施の形態に係るデジタルカメラでは、無線通信部によって、ＩＲＤＡ通信及び無線ＬＡＮなどの無指向性無線通信の両方を切り替えて行うことができる点が第１の実施の形態及び第４の実施の形態と異なっている。
【００８６】
なお、デジタルカメラの構成は、第４の実施の形態に係るデジタルカメラと同様の構成であるため、同一符号を付して説明を省略する。
【００８７】
次に、第５の実施の形態に係るデジタルカメラの動作について説明する。ここでは、一方のデジタルカメラから他方のデジタルカメラへＩＲＤＡ通信及び無指向性無線送信を行って、データを送信する場合について説明する。
【００８８】
まず、ユーザが、一方のデジタルカメラの無線通信部によってＩＲＤＡ通信を行う場合に送信される赤外線信号の指向性の方向（例えば、無線アンテナ１４の軸方向）と、他方のデジタルカメラの無線通信部によってＩＲＤＡ通信を行う場合の赤外線信号の指向性の方向とが合うように配置する。
【００８９】
そして、メインＭＰＵ４０が、無線通信部によってＩＲＤＡ通信が行われるように制御し、上記のステップ１００〜ステップ１１０の通信処理を実行する。そして、無指向性無線通信が確立されると、メインＭＰＵ４０が、無線通信部によって無指向性無線通信が行われるように切り替え、上記のステップ１１２〜ステップ１１８の通信処理を実行する。
【００９０】
以上のように、一つの無線通信部によって、ＩＲＤＡ通信及び無指向性無線通信の両方を切り替えて行うようにすることができる。
【００９１】
なお、上記の実施の形態では、一つの無線通信部で、指向性無線通信と無指向性無線通信とを切り替えて行う場合を例に説明したが、無線アンテナに設けた遮蔽を制御して、無線アンテナから送信される無線信号の送信方向を制御するようにしてもよい。また、無線コントロール部によって、無線アンテナから送信される無線信号のパワーを制御することによって、無線信号の到達範囲を制御するようにしてもよい。
【図面の簡単な説明】
【００９２】
【図１】本発明の第１の実施の形態に係るデジタルカメラの構成を示す正面図である。
【図２】本発明の第１の実施の形態に係るデジタルカメラの電気系の主要構成を示すブロック図である。
【図３】本発明の第１の実施の形態に係るデジタルカメラ間のデータ通信処理の内容を示すシーケンス図である。
【図４】本発明の第２の実施の形態に係るデジタルカメラの無線通信選択処理ルーチンの内容を示すフローチャートである。
【図５】本発明の第３の実施の形態に係るデジタルカメラの選択通信処理ルーチンの内容を示すフローチャートである。
【図６】本発明の第４の実施の形態に係るデジタルカメラの電気系の主要構成を示すブロック図である。
【符号の説明】
【００９３】
１０、４１０  デジタルカメラ
１２、４１２  光モジュール部
１４  無線アンテナ
２５  ＣＣＤ
３８  ＬＣＤ
４０  メインＭＰＵ
４８  メモリ
５２  メモリカード
６０  無線通信部
６２  無線コントロール部
６４  ＩＲＤＡ通信部
６６  タリー発光部
７０  ＩＲＤＡコントロール部
７２  タリーコントロール部
【図１】
0004732107.tif 000002
【図２】
0004732107.tif 000003
【図３】
0004732107.tif 000004
【図４】
0004732107.tif 000005
【図５】
0004732107.tif 000006
【図６】
0004732107.tif 000007